(57)【特許請求の範囲】
【請求項１】
標準の輝度範囲のビデオであるSDRビデオと互換性のある前記標準の輝度範囲より輝度範囲の広いビデオであるHDRビデオの提供の形態、または前記HDRビデオと互換性のある前記SDRビデオの提供の形態を表す種別情報が記述された再生管理情報を解析する制御部と、
前記種別情報により表される形態で提供された前記HDRビデオの符号化データまたは前記SDRビデオの符号化データを取得する取得部と、
取得された前記HDRビデオの符号化データまたは前記SDRビデオの符号化データを再生する再生部と
を備える再生装置。
【請求項２】
出力先となるディスプレイを有する表示装置と通信を行い、前記ディスプレイの表示性能を表す情報を取得する通信部をさらに備える
請求項１に記載の再生装置。
【請求項３】
前記制御部は、前記HDRビデオの再生前において、前記ディスプレイが前記HDRビデオの表示に対応していないとき、互換性のある前記SDRビデオの提供の形態を提示し、
前記取得部は、前記種別情報により表される形態で提供された前記SDRビデオの符号化データを取得する
請求項２に記載の再生装置。
【請求項４】
前記制御部は、前記SDRビデオの再生前において、前記ディスプレイが前記HDRビデオの表示に対応しているとき、互換性のある前記HDRビデオの提供の形態を提示し、
前記取得部は、前記種別情報により表される形態で提供された前記HDRビデオの符号化データを取得する
請求項２または３に記載の再生装置。
【請求項５】
前記制御部は、前記再生装置に挿入された記録媒体から取得した前記再生管理情報を解析し、
前記取得部は、前記HDRビデオの符号化データまたは前記SDRビデオの符号化データを前記記録媒体から取得する
請求項１乃至４のいずれかに記載の再生装置。
【請求項６】
前記種別情報は、互換性のある前記HDRビデオの符号化データと前記SDRビデオの符号化データが、同じ前記記録媒体に記録されているか、異なる前記記録媒体に記録されているかを表す
請求項５に記載の再生装置。
【請求項７】
前記種別情報は、互換性のある前記HDRビデオの符号化データと前記SDRビデオの符号化データが、前記記録媒体に記録された同じストリームに含まれるか、異なるストリームに含まれるかを表す
請求項５または６に記載の再生装置。
【請求項８】
前記記録媒体は、Blu-ray Discであり、
前記種別情報は、前記再生管理情報としてのIndex table、PlayList、またはClip Informationに記述される
請求項５乃至７のいずれかに記載の再生装置。
【請求項９】
標準の輝度範囲のビデオであるSDRビデオと互換性のある前記標準の輝度範囲より輝度範囲の広いビデオであるHDRビデオの提供の形態、または前記HDRビデオと互換性のある前記SDRビデオの提供の形態を表す種別情報が記述された再生管理情報を解析し、
前記種別情報により表される形態で提供された前記HDRビデオの符号化データまたは前記SDRビデオの符号化データを取得し、
取得した前記HDRビデオの符号化データまたは前記SDRビデオの符号化データを再生する
ステップを含む再生方法。
【請求項１０】
標準の輝度範囲のビデオであるSDRビデオと互換性のある前記標準の輝度範囲より輝度範囲の広いビデオであるHDRビデオの提供の形態、または前記HDRビデオと互換性のある前記SDRビデオの提供の形態を表す種別情報が記述された再生管理情報を解析し、
前記種別情報により表される形態で提供された前記HDRビデオの符号化データまたは前記SDRビデオの符号化データを取得し、
取得した前記HDRビデオの符号化データまたは前記SDRビデオの符号化データを再生する
ステップを含む処理をコンピュータに実行させるプログラム。
【請求項１１】
マスターとなるビデオに基づいて、標準の輝度範囲のビデオであるSDRビデオの符号化データと、前記SDRビデオと互換性のある前記標準の輝度範囲より輝度範囲の広いビデオであるHDRビデオの符号化データを生成するビデオ生成部と、
前記SDRビデオと互換性のある前記HDRビデオの提供の形態、または前記HDRビデオと互換性のある前記SDRビデオの提供の形態を表す種別情報が記述された再生管理情報を生成する再生管理情報生成部と
を備える情報処理装置。
【請求項１２】
マスターとなるビデオに基づいて、標準の輝度範囲のビデオであるSDRビデオの符号化データと、前記SDRビデオと互換性のある前記標準の輝度範囲より輝度範囲の広いビデオであるHDRビデオの符号化データを生成し、
前記SDRビデオと互換性のある前記HDRビデオの提供の形態、または前記HDRビデオと互換性のある前記SDRビデオの提供の形態を表す種別情報が記述された再生管理情報を生成する
ステップを含む情報処理方法。
【請求項１３】
マスターとなるビデオに基づいて、標準の輝度範囲のビデオであるSDRビデオの符号化データと、前記SDRビデオと互換性のある前記標準の輝度範囲より輝度範囲の広いビデオであるHDRビデオの符号化データを生成し、
前記SDRビデオと互換性のある前記HDRビデオの提供の形態、または前記HDRビデオと互換性のある前記SDRビデオの提供の形態を表す種別情報が記述された再生管理情報を生成する
ステップを含む処理をコンピュータに実行させるプログラム。
【発明の詳細な説明】
【技術分野】
【０００１】
本技術は、再生装置、再生方法、情報処理装置、情報処理方法、プログラムに関し、特に、視聴環境に応じた適切なビデオを再生することができるようにした再生装置、再生方法、情報処理装置、情報処理方法、プログラムに関する。
【背景技術】
【０００２】
映画などのコンテンツの記録メディアとしてBlu-ray（登録商標） Disc（以下、適宜、BDという）がある。従来、BDに収録するビデオのオーサリングは、標準の輝度（最大輝度が100nit（＝100cd/m2））のディスプレイで視聴することを前提に、マスターのビデオのダイナミックレンジを圧縮して行われている。【０００３】
マスターとなるビデオは、高品質なカメラで撮影されたものであり、標準の輝度のディスプレイで表示可能なダイナミックレンジ以上のダイナミックレンジを有している。圧縮されることにより、マスターのビデオのダイナミックレンジは当然損なわれることになる。【０００４】
有機EL(Electroluminescence)ディスプレイやLCD(Liquid Crystal Display)等のディスプレイ技術の進歩により、最大輝度が500nitや1000nitといったような、標準よりも明るいディスプレイが市販等されてきており、そのようなディスプレイの性能を活かすようなコンテンツに対する要求がある。【０００５】
そこで、近年、Blu-ray disc規格の策定団体であるBDA(Blu-ray Disc Association)において、ダイナミックレンジを拡張したビデオであるHDR(High Dynamic Range)ビデオを記録できるようにするための規格が検討されている。
【先行技術文献】
【特許文献】
【０００６】
【特許文献１】特開２００９−５８６９２号公報
【特許文献２】特開２００９−８９２０９号公報
【発明の概要】
【発明が解決しようとする課題】
【０００７】
HDRビデオの表示に対応していないディスプレイも多く存在することから、BDプレーヤは、視聴環境に応じた適切なビデオを再生する必要がある。仮に、HDRビデオのデータを出力したとしても、それを表示する能力がディスプレイ側になければ、オーサー（Author）が意図したとおりの色、明るさのビデオは表示されない。【０００８】
本技術はこのような状況に鑑みてなされたものであり、視聴環境に応じた適切なビデオを再生することができるようにするものである。
【課題を解決するための手段】
【０００９】
本技術の一側面の再生装置は、標準の輝度範囲のビデオであるSDRビデオと互換性のある前記標準の輝度範囲より輝度範囲の広いビデオであるHDRビデオの提供の形態、または前記HDRビデオと互換性のある前記SDRビデオの提供の形態を表す種別情報が記述された再生管理情報を解析する制御部と、前記種別情報により表される形態で提供された前記HDRビデオの符号化データまたは前記SDRビデオの符号化データを取得する取得部と、取得された前記HDRビデオの符号化データまたは前記SDRビデオの符号化データを再生する再生部とを備える。【００１０】
本技術の一側面においては、標準の輝度範囲のビデオであるSDRビデオと互換性のある前記標準の輝度範囲より輝度範囲の広いビデオであるHDRビデオの提供の形態、または前記HDRビデオと互換性のある前記SDRビデオの提供の形態を表す種別情報が記述された再生管理情報が解析され、前記種別情報により表される形態で提供された前記HDRビデオの符号化データまたは前記SDRビデオの符号化データが取得され、取得された前記HDRビデオの符号化データまたは前記SDRビデオの符号化データが再生される。
【発明の効果】
【００１１】
本技術によれば、視聴環境に応じた適切なビデオを再生することができる。【００１２】
なお、ここに記載された効果は必ずしも限定されるものではなく、本開示中に記載されたいずれかの効果であってもよい。
【図面の簡単な説明】
【００１３】
【図１】本技術の一実施形態に係る記録・再生システムの構成例を示す図である。
【図２】プレーヤ、ディスプレイ、BDの種類を示す図である。
【図３】Mandatory HDR対応プレーヤが再生し、ディスプレイに表示させるHDRビデオの種類を示す図である。
【図４】Mandatory/Option A HDR対応プレーヤが再生し、ディスプレイに表示させるHDRビデオの種類を示す図である。
【図５】Mandatory/Option B HDR対応プレーヤが再生し、ディスプレイに表示させるHDRビデオの種類を示す図である。
【図６】Mandatory/Option A/Option B HDR対応プレーヤが再生し、ディスプレイに表示させるHDRビデオの種類を示す図である。
【図７】HDRビデオとSDRビデオの第１の記録形態を示す図である。
【図８】HDRビデオとSDRビデオの第２の記録形態を示す図である。
【図９】HDRビデオとSDRビデオの第３の記録形態を示す図である。
【図１０】BD-ROMフォーマットにおけるAVストリームの管理構造の例を示す図である。
【図１１】Main PathとSub Pathの構造を示す図である。
【図１２】ディスクに記録されるファイルの管理構造の例を示す図である。
【図１３】PlayListのシンタクスを示す図である。
【図１４】図１３のAppInfoPlayList()のシンタクスの例を示す図である。
【図１５】各情報の値の意味を示す図である。
【図１６】HDR_flagとHDR_compatible_typeの値の第１の具体例を示す図である。
【図１７】HDR_flagとHDR_compatible_typeの値の第２の具体例を示す図である。
【図１８】HDR_flagとHDR_compatible_typeの値の第３の具体例を示す図である。
【図１９】記録装置の構成例を示すブロック図である。
【図２０】図１９の符号化処理部の構成例を示すブロック図である。
【図２１】再生装置の構成例を示すブロック図である。
【図２２】図２１の復号処理部の構成例を示すブロック図である。
【図２３】表示装置の構成例を示すブロック図である。
【図２４】記録装置の記録処理について説明するフローチャートである。
【図２５】再生装置の表示性能取得処理について説明するフローチャートである。
【図２６】再生装置の再生処理について説明するフローチャートである。
【図２７】メッセージの第１の表示例を示す図である。
【図２８】メッセージの第２の表示例を示す図である。
【図２９】メッセージの第３の表示例を示す図である。
【図３０】メッセージの第４の表示例を示す図である。
【図３１】メッセージの第５の表示例を示す図である。
【図３２】メッセージの第６の表示例を示す図である。
【図３３】Mandatory HDR対応Playerに設けられる復号処理部の構成例を示すブロック図である。
【図３４】Mandatory/Option A HDR対応Playerに設けられる復号処理部の構成例を示すブロック図である。
【図３５】Mandatory/Option B HDR対応Playerに設けられる復号処理部の構成例を示すブロック図である。
【図３６】コンピュータの構成例を示すブロック図である。
【発明を実施するための形態】
【００１４】
以下、本技術を実施するための形態について説明する。説明は以下の順序で行う。
１．記録・再生システムについて
２．BDフォーマットについて
３．各装置の構成について
４．各装置の動作について
５．変形例
【００１５】
＜＜１．記録・再生システムについて＞＞
図１は、本技術の一実施形態に係る記録・再生システムの構成例を示す図である。
【００１６】
図１の記録・再生システムは、記録装置１、再生装置２、および表示装置３から構成される。再生装置２と表示装置３はHDMI（登録商標）(High Definition Multimedia Interface)規格などの所定の規格のケーブル４を介して接続される。再生装置２と表示装置３が無線による通信を介して接続されるようにしてもよい。
【００１７】
記録装置１はコンテンツをディスク１１に記録し、再生装置２はディスク１１に記録されたコンテンツを再生する。記録装置１から再生装置２に対するコンテンツの提供はディスク１１を用いて行われる。ディスク１１は、例えばBD-ROM（Blu-ray（登録商標） Disc Read-Only）フォーマットでコンテンツが記録された光ディスクである。
【００１８】
ディスク１１に対するコンテンツの記録がBD-R,-REなどの他のBDフォーマットで行われるようにしてもよい。また、記録装置１から再生装置２に対するコンテンツの提供が、フラッシュメモリを搭載したメモリカードなどの、光ディスク以外のリムーバブルメディアを用いて行われるようにしてもよい。
【００１９】
ディスク１１がBD-ROMのディスクである場合、記録装置１はコンテンツのオーサーが使う装置となる。ここでは、記録装置１によってコンテンツが記録されたディスクが再生装置２に提供されるものとして説明するが、実際には、記録装置１によりコンテンツが記録されたマスター盤に基づいて複製されたディスクが再生装置２に提供されることになる。
【００２０】
記録装置１は、標準の輝度のディスプレイで表示可能なダイナミックレンジ（輝度範囲）のビデオであるSDR(Standard Dynamic Range)ビデオを含むコンテンツを生成する。標準の輝度のディスプレイの最大輝度は例えば100cd/m2（＝100nit）である。また、記録装置１は、適宜、SDRビデオより広いダイナミックレンジを有するビデオであるHDR(High Dynamic Range)ビデオを含むコンテンツを生成する。
【００２１】
例えば、SDRビデオは、マスターとなるビデオのダイナミックレンジを圧縮することによって生成される。HDRビデオは、SDRビデオより広いダイナミックレンジを有するように、マスターとなるビデオのダイナミックレンジを調整するなどして生成される。HDRビデオの最大輝度は、例えば1000nitといったように標準の輝度より高い。
【００２２】
本技術を適用したBDフォーマットにおいては、HDRビデオを生成するためのHDR技術として、１つのMandatory HDR技術と複数のOption HDR技術が採用される。
【００２３】
Mandatory HDR技術は、BDフォーマットにおいて、HDR技術を採用する場合に必須となるHDR技術である。一方、Option HDR技術は、必須ではなく選択的に採用可能なHDR技術である。それぞれのHDR技術は、HDRビデオを生成するための信号処理が異なる。
【００２４】
以下、Mandatory HDR技術と、２つのOption HDR技術であるOption A HDR技術およびOption B HDR技術を用いる場合について説明する。Mandatory HDR技術を用いて生成されたHDRビデオはMandatory HDRビデオとなる。
【００２５】
また、Option A HDR技術を用いて生成されたHDRビデオはOption A HDRビデオとなり、Option B HDR技術を用いて生成されたHDRビデオはOption B HDRビデオとなる。Option A HDRビデオとOption B HDRビデオを区別する必要がない場合、適宜、まとめてOption HDRビデオという。
【００２６】
Mandatory HDRビデオは、Mandatory HDRビデオの再生機能を有するプレーヤでなければ再生することができず、Mandatory HDRビデオの表示機能を有するディスプレイでなければ表示することができない。
【００２７】
同様に、Option A HDRビデオは、Option A HDRビデオの再生機能を有するプレーヤでなければ再生することができず、Option A HDRビデオの表示機能を有するディスプレイでなければ表示することができない。Option B HDRビデオは、Option B HDRビデオの再生機能を有するプレーヤでなければ再生することができず、Option B HDRビデオの表示機能を有するディスプレイでなければ表示することができない。
【００２８】
再生装置２は、HDRビデオが記録されたディスク１１の再生時、記録されているHDRビデオの種類、自身が再生可能なHDRビデオの種類、表示装置３が有するディスプレイが表示可能なHDRビデオの種類等を認識し、適切な処理を行う。
【００２９】
図２は、プレーヤ、ディスプレイ、BDの種類を示す図である。
【００３０】
HDR対応プレーヤは、HDRビデオの再生機能を搭載したプレーヤである。HDR対応プレーヤには、Mandatory HDR対応プレーヤ、Mandatory/Option A HDR対応プレーヤ、Mandatory/Option B HDR対応プレーヤ、およびMandatory/Option A/Option B HDR対応プレーヤがある。
【００３１】
Mandatory HDR対応プレーヤは、HDRビデオとしてはMandatory HDRビデオの再生のみに対応したプレーヤである。Mandatory/Option A HDR対応プレーヤは、Mandatory HDRビデオの再生とOption A HDRビデオの再生に対応したプレーヤである。Mandatory/Option B HDR対応プレーヤは、Mandatory HDRビデオの再生とOption B HDRビデオの再生に対応したプレーヤである。Mandatory/Option A/Option B HDR対応プレーヤは、全ての種類のHDRビデオの再生に対応したプレーヤである。
【００３２】
なお、HDRビデオの再生機能を搭載しないHDR非対応のプレーヤであっても、SDRビデオの再生機能は有している。
【００３３】
HDR対応ディスプレイは、HDRビデオの表示機能を搭載したディスプレイである。HDR対応ディスプレイには、Mandatory HDR対応ディスプレイ、Mandatory/Option A HDR対応ディスプレイ、Mandatory/Option B HDR対応ディスプレイ、およびMandatory/Option A/Option B HDR対応ディスプレイがある。
【００３４】
Mandatory HDR対応ディスプレイは、HDRビデオとしてはMandatory HDRビデオの表示のみに対応したディスプレイである。Mandatory/Option A HDR対応ディスプレイは、Mandatory HDRビデオの表示とOption A HDRビデオの表示に対応したディスプレイである。Mandatory/Option B HDR対応ディスプレイは、Mandatory HDRビデオの表示とOption B HDRビデオの表示に対応したディスプレイである。Mandatory/Option A/Option B HDR対応ディスプレイは、全ての種類のHDRビデオの表示に対応したディスプレイである。
【００３５】
なお、ディスプレイの表示性能についてはBDフォーマットでは規定しない。Mandatory HDRビデオの表示に対応しないで、Option HDRビデオの表示にのみ対応するディスプレイも考えられる。
【００３６】
HDRディスクは、HDRビデオを記録したBDである。HDRディスクには、Mandatory HDRディスク、Mandatory/Option A HDRディスク、Mandatory/Option B HDRディスク、およびMandatory/Option A/Option B HDRディスクがある。
【００３７】
Mandatory HDRディスクは、HDRビデオとしてはMandatory HDRビデオのみを記録したディスクである。Mandatory/Option A HDRディスクは、Mandatory HDRビデオとOption A HDRビデオを記録したディスクである。Mandatory/Option B HDRディスクは、Mandatory HDRビデオとOption B HDRビデオを記録したディスクである。Mandatory/Option A/Option B HDRディスクは、全ての種類のHDRビデオを記録したディスクである。
【００３８】
HDRディスクには、HDRビデオとともにSDRビデオが記録されることもある。
【００３９】
図３は、Mandatory HDR対応プレーヤが再生し、ディスプレイに表示させるHDRビデオの種類を示す図である。
【００４０】
図３においては、ディスクがMandatory/Option A/Option B HDRディスクである場合、およびディスプレイがMandatory/Option A/Option B HDR対応ディスプレイである場合の図示を省略している。図４、図５においても同様である。
【００４１】
挿入されたBDがMandatory HDRディスクである場合、HDRビデオの出力先となるディスプレイがいずれの種類のディスプレイであっても、Mandatory HDR対応プレーヤはMandatory HDRビデオを再生する。ディスプレイには、Mandatory HDR対応プレーヤから出力されたデータに基づいてMandatory HDRビデオが表示される。
【００４２】
挿入されたBDがMandatory/Option A HDRディスクである場合、HDRビデオの出力先となるディスプレイがいずれの種類のディスプレイであっても、Mandatory HDR対応プレーヤはMandatory HDRビデオを再生する。プレーヤが、BDに記録されているOption A HDRビデオの再生に対応していないためである。ディスプレイには、Mandatory HDR対応プレーヤから出力されたデータに基づいてMandatory HDRビデオが表示される。
【００４３】
挿入されたBDがMandatory/Option B HDRディスクである場合、HDRビデオの出力先となるディスプレイがいずれの種類のディスプレイであっても、Mandatory HDR対応プレーヤはMandatory HDRビデオを再生する。プレーヤが、BDに記録されているOption B HDRビデオの再生に対応していないためである。ディスプレイには、Mandatory HDR対応プレーヤから出力されたデータに基づいてMandatory HDRビデオが表示される。
【００４４】
図４は、Mandatory/Option A HDR対応プレーヤが再生し、ディスプレイに表示させるHDRビデオの種類を示す図である。
【００４５】
挿入されたBDがMandatory HDRディスクである場合、HDRビデオの出力先となるディスプレイがいずれの種類のディスプレイであっても、Mandatory/Option A HDR対応プレーヤはMandatory HDRビデオを再生する。ディスプレイには、Mandatory/Option A HDR対応プレーヤから出力されたデータに基づいてMandatory HDRビデオが表示される。
【００４６】
挿入されたBDがMandatory/Option A HDRディスクである場合、HDRビデオの出力先となるディスプレイがMandatory HDR対応ディスプレイまたはMandatory/Option B HDR対応ディスプレイであるときには、Mandatory/Option A HDR対応プレーヤはMandatory HDRビデオを再生する。ディスプレイが、BDに記録されているOption A HDRビデオの表示に対応していないためである。ディスプレイには、Mandatory/Option A HDR対応プレーヤから出力されたデータに基づいてMandatory HDRビデオが表示される。
【００４７】
一方、挿入されたBDがMandatory/Option A HDRディスクである場合において、HDRビデオの出力先となるディスプレイがMandatory/Option A HDR対応ディスプレイであるとき、Mandatory/Option A HDR対応プレーヤは、Mandatory HDRビデオとOption A HDRビデオのうちのいずれかを再生する。いずれのHDRビデオを再生するのかは、Mandatory/Option A HDR対応プレーヤの設定などに従って決定される。ディスプレイには、Mandatory/Option A HDR対応プレーヤから出力されたデータに基づいてMandatory HDRビデオまたはOption A HDRビデオが表示される。
【００４８】
挿入されたBDがMandatory/Option B HDRディスクである場合、HDRビデオの出力先となるディスプレイがいずれの種類のディスプレイであっても、Mandatory/Option A HDR対応プレーヤはMandatory HDRビデオを再生する。プレーヤが、BDに記録されているOption B HDRビデオの再生に対応していないためである。ディスプレイには、Mandatory/Option A HDR対応プレーヤから出力されたデータに基づいてMandatory HDRビデオが表示される。
【００４９】
図５は、Mandatory/Option B HDR対応プレーヤが再生し、ディスプレイに表示させるHDRビデオの種類を示す図である。
【００５０】
挿入されたBDがMandatory HDRディスクである場合、HDRビデオの出力先となるディスプレイがいずれの種類のディスプレイであっても、Mandatory/Option B HDR対応プレーヤはMandatory HDRビデオを再生する。ディスプレイには、Mandatory/Option B HDR対応プレーヤから出力されたデータに基づいてMandatory HDRビデオが表示される。
【００５１】
挿入されたBDがMandatory/Option A HDRディスクである場合、HDRビデオの出力先となるディスプレイがいずれの種類のディスプレイであっても、Mandatory/Option B HDR対応プレーヤはMandatory HDRビデオを再生する。プレーヤが、BDに記録されているOption A HDRビデオの再生に対応していないためである。ディスプレイには、Mandatory/Option B HDR対応プレーヤから出力されたデータに基づいてMandatory HDRビデオが表示される。
【００５２】
挿入されたBDがMandatory/Option B HDRディスクである場合、HDRビデオの出力先となるディスプレイがMandatory HDR対応ディスプレイまたはMandatory/Option A HDR対応ディスプレイであるときには、Mandatory/Option B HDR対応プレーヤはMandatory HDRビデオを再生する。ディスプレイが、BDに記録されているOption B HDRビデオの表示に対応していないためである。ディスプレイには、Mandatory/Option B HDR対応プレーヤから出力されたデータに基づいてMandatory HDRビデオが表示される。
【００５３】
一方、挿入されたBDがMandatory/Option B HDRディスクである場合において、HDRビデオの出力先となるディスプレイがMandatory/Option B HDR対応ディスプレイであるとき、Mandatory/Option B HDR対応プレーヤは、Mandatory HDRビデオとOption B HDRビデオのうちのいずれかを再生する。いずれのHDRビデオを再生するのかは、Mandatory/Option B HDR対応プレーヤの設定などに従って決定される。ディスプレイには、Mandatory/Option B HDR対応プレーヤから出力されたデータに基づいてMandatory HDRビデオまたはOption B HDRビデオが表示される。
【００５４】
図６は、Mandatory/Option A/Option B HDR対応プレーヤが再生し、ディスプレイに表示させるHDRビデオの種類を示す図である。
【００５５】
挿入されたBDがMandatory HDRディスクである場合、HDRビデオの出力先となるディスプレイがいずれの種類のディスプレイであっても、Mandatory/Option A/Option B HDR対応プレーヤはMandatory HDRビデオを再生する。ディスプレイには、Mandatory/Option A/Option B HDR対応プレーヤから出力されたデータに基づいてMandatory HDRビデオが表示される。
【００５６】
挿入されたBDがMandatory/Option A HDRディスクである場合、HDRビデオの出力先となるディスプレイがMandatory HDR対応ディスプレイまたはMandatory/Option B HDR対応ディスプレイであるときには、Mandatory/Option A/Option B HDR対応プレーヤはMandatory HDRビデオを再生する。ディスプレイが、BDに記録されているOption A HDRビデオの表示に対応していないためである。ディスプレイには、Mandatory/Option A/Option B HDR対応プレーヤから出力されたデータに基づいてMandatory HDRビデオが表示される。
【００５７】
一方、挿入されたBDがMandatory/Option A HDRディスクである場合において、HDRビデオの出力先となるディスプレイがMandatory/Option A HDR対応ディスプレイまたはMandatory/Option A/Option B HDR対応ディスプレイであるとき、Mandatory/Option A/Option B HDR対応プレーヤは、Mandatory HDRビデオとOption A HDRビデオのうちのいずれかを再生する。いずれのHDRビデオを再生するのかは、Mandatory/Option A/Option B HDR対応プレーヤの設定などに従って決定される。ディスプレイには、Mandatory/Option A/Option B HDR対応プレーヤから出力されたデータに基づいてMandatory HDRビデオまたはOption A HDRビデオが表示される。
【００５８】
挿入されたBDがMandatory/Option B HDRディスクである場合、HDRビデオの出力先となるディスプレイがMandatory HDR対応ディスプレイまたはMandatory/Option A HDR対応ディスプレイであるときには、Mandatory/Option A/Option B HDR対応プレーヤはMandatory HDRビデオを再生する。ディスプレイが、BDに記録されているOption B HDRビデオの表示に対応していないためである。ディスプレイには、Mandatory/Option A/Option B HDR対応プレーヤから出力されたデータに基づいてMandatory HDRビデオが表示される。
【００５９】
一方、挿入されたBDがMandatory/Option B HDRディスクである場合において、HDRビデオの出力先となるディスプレイがMandatory/Option B HDR対応ディスプレイまたはMandatory/Option A/Option B HDR対応ディスプレイであるとき、Mandatory/Option A/Option B HDR対応プレーヤは、Mandatory HDRビデオとOption B HDRビデオのうちのいずれかを再生する。いずれのHDRビデオを再生するのかは、Mandatory/Option A/Option B HDR対応プレーヤの設定などに従って決定される。ディスプレイには、Mandatory/Option A/Option B HDR対応プレーヤから出力されたデータに基づいてMandatory HDRビデオまたはOption B HDRビデオが表示される。
【００６０】
挿入されたBDがMandatory/Option A/Option B HDRディスクである場合、HDRビデオの出力先となるディスプレイがMandatory HDR対応ディスプレイであるときには、Mandatory/Option A/Option B HDR対応プレーヤはMandatory HDRビデオを再生する。ディスプレイには、Mandatory/Option A/Option B HDR対応プレーヤから出力されたデータに基づいてMandatory HDRビデオが表示される。
【００６１】
一方、挿入されたBDがMandatory/Option A/Option B HDRディスクである場合において、HDRビデオの出力先となるディスプレイがMandatory/Option A HDR対応ディスプレイであるとき、Mandatory/Option A/Option B HDR対応プレーヤはMandatory HDRビデオまたはOption A HDRビデオを再生する。いずれのHDRビデオを再生するのかは、Mandatory/Option A/Option B HDR対応プレーヤの設定などに従って決定される。ディスプレイには、Mandatory/Option A/Option B HDR対応プレーヤから出力されたデータに基づいてMandatory HDRビデオまたはOption A HDRビデオが表示される。
【００６２】
挿入されたBDがMandatory/Option A/Option B HDRディスクである場合において、HDRビデオの出力先となるディスプレイがMandatory/Option B HDR対応ディスプレイであるとき、Mandatory/Option A/Option B HDR対応プレーヤはMandatory HDRビデオまたはOption B HDRビデオを再生する。いずれのHDRビデオを再生するのかは、Mandatory/Option A/Option B HDR対応プレーヤの設定などに従って決定される。ディスプレイには、Mandatory/Option A/Option B HDR対応プレーヤから出力されたデータに基づいてMandatory HDRビデオまたはOption B HDRビデオが表示される。
【００６３】
挿入されたBDがMandatory/Option A/Option B HDRディスクである場合において、HDRビデオの出力先となるディスプレイがMandatory/Option A/Option B HDR対応ディスプレイであるとき、Mandatory/Option A/Option B HDR対応プレーヤはいずれかの種類のHDRビデオを再生する。いずれのHDRビデオを再生するのかは、Mandatory/Option A/Option B HDR対応プレーヤの設定などに従って決定される。ディスプレイには、Mandatory/Option A/Option B HDR対応プレーヤから出力されたデータに基づいてMandatory HDRビデオ、Option B HDRビデオ、またはOption B HDRビデオが表示される。
【００６４】
このように、BDプレーヤである再生装置２においては、ディスク１１に記録されているHDRビデオのうち、再生装置２自身が再生可能であり、かつ、出力先となるディスプレイが表示可能な種類のHDRビデオが再生される。再生対象となるHDRビデオは、ディスク１１に記録されている情報などに基づいて決定される。
【００６５】
＜ビデオの記録形態＞
上述したように、HDR対応プレーヤは、出力先となるディスプレイがHDRビデオの表示に対応したディスプレイでなければ、HDRビデオを再生することができない。この場合、HDRビデオの代わりに用いる、同じ内容のSDRビデオが用意されていれば、HDR対応プレーヤは、SDRビデオを再生し、SDRビデオをディスプレイに表示させることができる。
【００６６】
コンテンツの提供側は、HDRビデオを提供する場合、互換性確保のためには、同じ内容のSDRビデオを用意し、提供する必要がある。
【００６７】
また、HDR対応プレーヤは、出力先となるディスプレイがHDRビデオの表示に対応したディスプレイである場合、SDRビデオを再生するよりも、HDRビデオを再生した方が、より画質の良い映像を提供することができる。
【００６８】
コンテンツの提供側は、SDRビデオを提供する場合、同じ内容のHDRビデオを用意し、提供した方が好ましい。
【００６９】
BDにおける、互換性のあるHDRビデオとSDRビデオの記録形態には、例えば以下の３つの形態がある。HDRビデオと互換性のあるSDRビデオは、HDRビデオの代わりに再生に用いることが可能なSDRビデオを意味する。また、SDRビデオと互換性のあるHDRビデオは、SDRビデオの代わりに再生に用いることが可能なHDRビデオを意味する。
【００７０】
図７は、HDRビデオとSDRビデオの第１の記録形態を示す図である。
【００７１】
図７のディスク１１には、SDRビデオとHDRビデオが記録されている。ディスク１１に記録されているSDRビデオとHDRビデオは、同じ内容の、互換性のあるビデオである。
【００７２】
例えば、HDRビデオの再生が指示された場合において、出力先となるディスプレイがHDRビデオの表示に非対応のディスプレイであるとき、HDRビデオの代わりにSDRビデオが再生される。また、SDRビデオの再生が指示された場合において、出力先となるディスプレイがHDRビデオの表示に対応したディスプレイであるとき、SDRビデオの代わりにHDRビデオが再生される。
【００７３】
図７のSDRビデオの符号化ストリームは、複数のオーディオストリームとともに、PlayList1が参照するClip1のAVストリームに含まれる。また、HDRビデオの符号化ストリームは、同じ複数のオーディオストリームとともに、PlayList2が参照するClip1のAVストリームに含まれる。BDフォーマットにおけるPlayListとClipについては後述する。
【００７４】
このように、HDRビデオとSDRビデオの記録形態として、それぞれの符号化ストリームを異なるAVストリームに含め、１枚のBDに記録する形態がある。
【００７５】
図８は、HDRビデオとSDRビデオの第２の記録形態を示す図である。
【００７６】
図８のディスク１１には、同じ内容の、互換性のあるSDRビデオとHDRビデオが記録されている。SDRビデオの符号化ストリームとHDRビデオの符号化ストリームは、複数のオーディオストリームとともに、PlayList1が参照するClip1のAVストリームに含まれる。
【００７７】
このように、HDRビデオとSDRビデオの記録形態として、それぞれの符号化ストリームを同じAVストリームに含め、１枚のBDに記録する形態がある。
【００７８】
図９は、HDRビデオとSDRビデオの第３の記録形態を示す図である。
【００７９】
図９には、ディスク１１Ａとディスク１１Ｂの２枚のBDが示されている。ディスク１１ＡにはSDRビデオが記録されている。SDRビデオの符号化ストリームは、複数のオーディオストリームとともに、ディスク１１Ａに記録されているPlayList1が参照するClip1のAVストリームに含まれる。
【００８０】
一方、ディスク１１ＢにはHDRビデオが記録されている。ディスク１１Ａに記録されているSDRビデオとディスク１１Ｂに記録されているHDRビデオは、同じ内容の、互換性があるビデオである。HDRビデオの符号化ストリームは、同じ複数のオーディオストリームとともに、ディスク１１Ｂに記録されているPlayList1が参照するClip1のAVストリームに含まれる。
【００８１】
ユーザは、HDR対応プレーヤに接続されたディスプレイがHDRビデオの表示に非対応のディスプレイである場合、ディスク１１Ａを使ってコンテンツを視聴することになる。また、ユーザは、HDR対応プレーヤに接続されたディスプレイがHDRビデオの表示に対応したディスプレイである場合、ディスク１１Ｂを使ってコンテンツを視聴することになる。
【００８２】
このように、HDRビデオとSDRビデオの記録形態として、それぞれの符号化ストリームを異なるBDに記録する形態がある。例えば、HDRビデオの符号化ストリームを記録したBDとSDRビデオの符号化ストリームを記録したBDは２枚セットで販売される。
【００８３】
視聴環境に応じて再生するビデオを切り替える再生装置２の処理については後述する。
【００８４】
＜＜２．BDフォーマットについて＞＞
ここで、BD-ROMフォーマットについて説明する。
【００８５】
＜データの管理構造＞
図１０は、BD-ROMフォーマットにおけるAVストリームの管理構造の例を示す図である。
【００８６】
AVストリームの管理は、PlayListとClipの２つのレイヤを用いて行われる。AVストリームは、ディスク１１だけでなく、再生装置２のローカルストレージに記録されることもある。
【００８７】
１つのAVストリームと、それに付随する情報であるClip Informationのペアが１つのオブジェクトとして管理される。AVストリームとClip InformationのペアをClipという。
【００８８】
AVストリームは時間軸上に展開され、各Clipのアクセスポイントは、主に、タイムスタンプでPlayListにおいて指定される。Clip Informationは、AVストリーム中のデコードを開始すべきアドレスを見つけるためなどに使用される。
【００８９】
PlayListはAVストリームの再生区間の集まりである。AVストリーム中の１つの再生区間はPlayItemと呼ばれる。PlayItemは、時間軸上の再生区間のIN点とOUT点のペアで表される。図１０に示すように、PlayListは１つまたは複数のPlayItemにより構成される。
【００９０】
図１０の左から１番目のPlayListは２つのPlayItemから構成され、その２つのPlayItemにより、左側のClipに含まれるAVストリームの前半部分と後半部分がそれぞれ参照される。
【００９１】
左から２番目のPlayListは１つのPlayItemから構成され、それにより、右側のClipに含まれるAVストリーム全体が参照される。
【００９２】
左から３番目のPlayListは２つのPlayItemから構成され、その２つのPlayItemにより、左側のClipに含まれるAVストリームのある部分と、右側のClipに含まれるAVストリームのある部分がそれぞれ参照される。
【００９３】
例えば、左から１番目のPlayListに含まれる左側のPlayItemが再生対象としてディスクナビゲーションプログラムにより指定された場合、そのPlayItemが参照する、左側のClipに含まれるAVストリームの前半部分の再生が行われる。
【００９４】
PlayListの中で、１つ以上のPlayItemの並びによって作られる再生パスをメインパス(Main Path)という。また、PlayListの中で、Main Pathに並行して、１つ以上のSubPlayItemの並びによって作られる再生パスをサブパス（Sub Path）という。
【００９５】
図１１は、Main PathとSub Pathの構造を示す図である。
【００９６】
PlayListは、１つのMain Pathと１つ以上のSub Pathを持つ。図１１のPlayListは、３つのPlayItemの並びにより作られる１つのMain Pathと３つのSub Pathを有する。
【００９７】
Main Pathを構成するPlayItemには、先頭から順番にそれぞれIDが設定される。Sub Pathにも、先頭から順番にSubpath_id=0、Subpath_id=1、およびSubpath_id=2のIDが設定される。
【００９８】
図１１の例においては、Subpath_id=0のSub Pathには１つのSubPlayItemが含まれ、Subpath_id=1のSub Pathには２つのSubPlayItemが含まれる。また、Subpath_id=2のSub Pathには１つのSubPlayItemが含まれる。
【００９９】
１つのPlayItemが参照するAVストリームには、少なくともビデオストリーム（メイン画像データ）が含まれる。AVストリームには、AVストリームに含まれるビデオストリームと同じタイミングで（同期して）再生されるオーディオストリームが１つ以上含まれてもよいし、含まれなくてもよい。
【０１００】
AVストリームには、AVストリームに含まれるビデオストリームと同期して再生されるビットマップの字幕データ（PG(Presentation Graphic)）のストリームが１つ以上含まれてもよいし、含まれなくてもよい。
【０１０１】
AVストリームには、AVストリームファイルに含まれるビデオストリームと同期して再生されるIG(Interactive Graphic)のストリームが１つ以上含まれてもよいし、含まれなくてもよい。IGのストリームは、ユーザにより操作されるボタンなどのグラフィックを表示させるために用いられる。
【０１０２】
１つのPlayItemが参照するAVストリームには、ビデオストリームと、それと同期して再生されるオーディオストリーム、PGストリーム、およびIGストリームが多重化される。
【０１０３】
また、１つのSubPlayItemは、PlayItemが参照するAVストリームとは異なるストリームの、ビデオストリーム、オーディオストリーム、PGストリームなどを参照する。
【０１０４】
このように、AVストリームの再生はPlayListとClip Informationを用いて行われる。また、AVストリームの再生には、後述するIndex tableなどの情報も用いられる。コンテンツとしてのAVストリームの再生を管理するために用いられる再生管理情報である、Index table、PlayList、Clip Informationを、適宜、Data Base情報という。
【０１０５】
＜ディレクトリ構造＞
図１２は、ディスク１１に記録されるファイルの管理構造の例を示す図である。
【０１０６】
ディスク１１に記録される各ファイルはディレクトリ構造により階層的に管理される。ディスク１１上には１つのrootディレクトリが作成される。
【０１０７】
rootディレクトリの下にはBDMVディレクトリが置かれる。
【０１０８】
BDMVディレクトリの下には、「Index.bdmv」の名前が設定されたファイルであるIndex tableファイルと、「MovieObject.bdmv」の名前が設定されたファイルであるMovieObjectファイルが格納される。Index tableファイルにはIndex tableが記述される。
【０１０９】
BDMVディレクトリの下には、PLAYLISTディレクトリ、CLIPINFディレクトリ、STREAMディレクトリ等が設けられる。
【０１１０】
PLAYLISTディレクトリには、PlayListを記述したPlayListファイルが格納される。各PlayListファイルには、５桁の数字と拡張子「.mpls」を組み合わせた名前が設定される。図１２に示す３つのPlayListファイルには「00000.mpls」、「00001.mpls」、「00002.mpls」のファイル名が設定されている。
【０１１１】
CLIPINFディレクトリにはClip Informationファイルが格納される。各Clip Informationファイルには、５桁の数字と拡張子「.clpi」を組み合わせた名前が設定される。図１２の３つのClip Informationファイルには、それぞれ、「01000.clpi」、「02000.clpi」、「03000.clpi」のファイル名が設定されている。
【０１１２】
STREAMディレクトリにはAVストリームファイルが格納される。各AVストリームファイルには、５桁の数字と拡張子「.m2ts」を組み合わせた名前が設定される。図１２の３つのAVストリームファイルには、それぞれ、「01000.m2ts」、「02000.m2ts」、「03000.m2ts」のファイル名が設定されている。
【０１１３】
同じ５桁の数字がファイル名に設定されているClip InformationファイルとAVストリームファイルが１つのClipを構成するファイルとなる。「01000.m2ts」のAVストリームファイルの再生時には「01000.clpi」のClip Informationファイルが用いられ、「02000.m2ts」のAVストリームファイルの再生時には「02000.clpi」のClip Informationファイルが用いられる。
【０１１４】
＜PlayListのシンタクスの例＞
ここで、HDRビデオの再生に用いられる情報を記述したPlayListのシンタクスについて説明する。上述したように、PlayListは、PlayItem等からなる１つの再生シーケンスを定義する情報である。１枚のディスクに複数のPlayListが用意されることもある。複数のPlayListが用意されている場合、ユーザによる操作などに応じて、再生に用いるPlayListが決定される。
【０１１５】
図１３は、PlayListのシンタクスを示す図である。
【０１１６】
PlayListを記述したファイルは、図１２のPLAYLISTディレクトリに格納される、拡張子「.mpls」が設定されるファイルである。
【０１１７】
AppInfoPlayList()には、再生制限などの、PlayListの再生コントロールに関するパラメータが格納される。
【０１１８】
PlayList()には、Main PathやSub Pathに関するパラメータが格納される。
【０１１９】
PlayListMark()には、PlayListのマーク情報、すなわち、チャプタジャンプなどを指令するユーザオペレーションまたはコマンドなどにおけるジャンプ先（ジャンプポイント）であるマークに関する情報が格納される。
【０１２０】
図１４は、図１３のAppInfoPlayList()のシンタクスの例を示す図である。
【０１２１】
図１４のAppInfoPlayList()には、HDRビデオの再生に用いられる情報として、HDR_flag、option_A_HDR_flag、option_B_HDR_flag、およびHDR_compatible_typeが記述される。
【０１２２】
図１５は、各情報の値の意味を示す図である。
【０１２３】
HDR_flagは、BD（当該HDR_flagを記述したPlayListが記録されたディスクと同じディスク）にMandatory HDRビデオが含まれるか否かを示す１ビットのフラグである。
【０１２４】
HDR_flagが0bであることは、Mandatory HDRビデオが含まれないことを表し、1bであることは、Mandatory HDRビデオが含まれることを表す。
【０１２５】
option_A_HDR_flagは、BD（当該option_A_HDR_flagを記述したPlayListが記録されたディスクと同じディスク）にOption A HDRビデオが含まれるか否かを示す１ビットのフラグである。
【０１２６】
option_A_HDR_flagが0bであることは、Option A HDRビデオが含まれないことを表し、1bであることは、option_A_HDRビデオが含まれることを表す。
【０１２７】
option_B_HDR_flagは、BD（当該option_B_HDR_flagを記述したPlayListが記録されたディスクと同じディスク）にOption B HDRビデオが含まれるか否かを示す１ビットのフラグである。
【０１２８】
option_B_HDR_flagが0bであることは、Option B HDRビデオが含まれないことを表し、1bであることは、Option B HDRビデオが含まれることを表す。
【０１２９】
HDR_flag、option_A_HDR_flag、option_B_HDR_flagを用いることにより、コンテンツのオーサーは、いずれの種類のHDRビデオがBD内に記録されているのかを指定することが可能になる。
【０１３０】
HDR_compatible_typeは、HDRビデオと互換性のあるSDRビデオの提供形態、またはSDRビデオと互換性のあるHDRビデオの提供形態を示す２ビットの情報である。
【０１３１】
HDR_compatible_typeが00bであることは、互換性のあるビデオが用意されていないことを表す。
【０１３２】
HDR_compatible_typeが01bであることは、互換性のあるビデオの符号化ストリームが、当該PlayListが示すClip（当該HDR_compatible_typeを記述したPlayListが定義する再生シーケンスによって再生されるClipのAVストリーム）に含まれることを示す。
【０１３３】
HDR_compatible_typeが10bであることは、互換性のあるビデオの符号化ストリームが、別のPlayListが示すClipに用意されていることを示す。HDR_compatible_typeの値の01bと10bは、互換性のあるHDRビデオとSDRビデオが同じディスクに用意されていることを表すことになる。
【０１３４】
HDR_compatible_typeが11bであることは、互換性のあるビデオの符号化ストリームが、別のディスクに用意されていることを示す。
【０１３５】
HDR_compatible_typeを用いることにより、コンテンツのオーサーは、互換性のあるビデオの提供形態を指定することが可能になる。
【０１３６】
図１６は、HDR_flagとHDR_compatible_typeの値の第１の具体例を示す図である。
【０１３７】
HDRビデオとSDRビデオの記録形態が図７の形態である場合、SDRビデオの符号化ストリームを含むAVストリームを参照するPlayList1のHDR_flagには0が設定され、HDR_compatible_typeには10bが設定される。
【０１３８】
PlayList1のHDR_flagが0であることは、PlayList1が参照するAVストリームにHDRビデオの符号化ストリームが含まれないことを示す。PlayList1のHDR_compatible_typeが10bであることは、PlayList1が参照するAVストリームに含まれるSDRビデオと互換性のあるHDRビデオが、別のPlayListであるPlayList2が参照するAVストリームに用意されていることを示す。
【０１３９】
また、HDRビデオの符号化ストリームを含むAVストリームを参照するPlayList2のHDR_flagには1が設定され、HDR_compatible_typeには10bが設定される。
【０１４０】
PlayList2のHDR_flagが1であることは、PlayList2が参照するAVストリームにHDRビデオの符号化ストリームが含まれることを示す。また、PlayList2のHDR_compatible_typeが10bであることは、PlayList2が参照するAVストリームに含まれるHDRビデオと互換性のあるSDRビデオが、別のPlayListであるPlayList1が参照するAVストリームに用意されていることを示す。
【０１４１】
図１７は、HDR_flagとHDR_compatible_typeの値の第２の具体例を示す図である。
【０１４２】
HDRビデオとSDRビデオの記録形態が図８の形態である場合、SDRビデオの符号化ストリームとHDRビデオの符号化ストリームを含むAVストリームを参照するPlayList1のHDR_flagには1が設定され、HDR_compatible_typeには01bが設定される。
【０１４３】
PlayList1のHDR_flagが1であることは、PlayList1が参照するAVストリームにHDRビデオの符号化ストリームが含まれることを示す。PlayList1のHDR_compatible_typeが01bであることは、互換性のあるSDRビデオとHDRビデオが、同じPlayListであるPlayList1が参照するAVストリームに用意されていることを示す。
【０１４４】
図１８は、HDR_flagとHDR_compatible_typeの値の第３の具体例を示す図である。
【０１４５】
HDRビデオとSDRビデオの記録形態が図９の形態である場合、ディスク１１Ａに記録されたPlayList1のHDR_flagには0が設定され、HDR_compatible_typeには11bが設定される。また、ディスク１１Ｂに記録されたPlayList1のHDR_flagには1が設定され、HDR_compatible_typeには11bが設定される。
【０１４６】
ディスク１１Ａに記録されたPlayList1のHDR_flagが0であることは、PlayList1が参照するAVストリームにHDRビデオの符号化ストリームが含まれないことを示す。PlayList1のHDR_compatible_typeが11bであることは、PlayList1が参照するAVストリームに含まれるSDRビデオと互換性のあるHDRビデオが、別のディスクであるディスク１１Ｂに用意されていることを示す。
【０１４７】
一方、ディスク１１Ｂに記録されたPlayList1のHDR_flagが1であることは、PlayList1が参照するAVストリームにHDRビデオの符号化ストリームが含まれることを示す。また、PlayList1のHDR_compatible_typeが11bであることは、PlayList1が参照するAVストリームに含まれるHDRビデオと互換性のあるSDRビデオが、別のディスクであるディスク１１Ａに用意されていることを示す。
【０１４８】
HDR_flagとHDR_compatible_typeのセットを、AppInfoPlayList()ではなく、ExtensionData()などの、PlayListの他の領域に記述することも可能である。また、PlayListではなく、Index tableやClip Informationなどの他のData Base情報に記述することも可能である。
【０１４９】
＜＜３．各装置の構成について＞＞
ここで、各装置の構成について説明する。
【０１５０】
＜記録装置１の構成＞
図１９は、記録装置１の構成例を示すブロック図である。
【０１５１】
記録装置１は、コントローラ２１、符号化処理部２２、およびディスクドライブ２３から構成される。マスターとなるビデオが符号化処理部２２に入力される。
【０１５２】
コントローラ２１は、CPU(Central Processing Unit)、ROM(Read Only Memory)、RAM(Random Access Memory)などより構成される。コントローラ２１は、所定のプログラムを実行し、記録装置１の全体の動作を制御する。
【０１５３】
コントローラ２１においては、所定のプログラムが実行されることによってData Base情報生成部２１Ａが実現される。Data Base情報生成部２１Ａは、Index table、PlayList、Clip InformationなどのData Base情報を生成し、ディスクドライブ２３に出力する。
【０１５４】
符号化処理部２２は、マスターのビデオに基づいて、各種のHDRビデオ、SDRビデオのストリームを生成し、多重化することによって、Clipを構成するAVストリームを生成する。AVストリームには、ビデオと同期して再生されるオーディオのストリームなども含まれる。符号化処理部２２は、生成したAVストリームをディスクドライブ２３に出力する。
【０１５５】
ディスクドライブ２３は、コントローラ２１から供給されたData Base情報の各ファイルと、符号化処理部２２から供給されたAVストリームのファイルを図１２のディレクトリ構造に従ってディスク１１に記録する。
【０１５６】
図２０は、図１９の符号化処理部２２の構成例を示すブロック図である。
【０１５７】
符号化処理部２２は、Mandatory HDRエンコーダ３１、Option A HDRエンコーダ３２、Option B HDRエンコーダ３３、SDRエンコーダ３４、および多重化部３５から構成される。記録装置１に入力されたマスターのビデオは、Mandatory HDRエンコーダ３１、Option A HDRエンコーダ３２、Option B HDRエンコーダ３３、SDRエンコーダ３４にそれぞれ供給される。
【０１５８】
Mandatory HDRエンコーダ３１は、BDフォーマットのMandatory HDR技術を用いた信号処理をマスターのビデオに施し、Mandatory HDRビデオを生成する。Mandatory HDRエンコーダ３１は、Mandatory HDRビデオをHEVC(High Efficiency Video Coding)などの所定の符号化方式で符号化し、符号化することによって得られたMandatory HDRビデオストリームを多重化部３５に出力する。
【０１５９】
Option A HDRエンコーダ３２は、BDフォーマットのOption A HDR技術を用いた信号処理をマスターのビデオに施し、Option A HDRビデオを生成する。Option A HDRエンコーダ３２は、Option A HDRビデオを所定の符号化方式で符号化し、符号化することによって得られたOption A HDRビデオストリームを多重化部３５に出力する。
【０１６０】
Option B HDRエンコーダ３３は、BDフォーマットのOption B HDR技術を用いた信号処理をマスターのビデオに施し、Option B HDRビデオを生成する。Option B HDRエンコーダ３３は、Option B HDRビデオを所定の符号化方式で符号化し、符号化することによって得られたOption B HDRビデオストリームを多重化部３５に出力する。
【０１６１】
SDRエンコーダ３４は、マスターのビデオのダイナミックレンジを圧縮し、SDRビデオを生成する。SDRエンコーダ３４は、SDRビデオを所定の符号化方式で符号化し、符号化することによって得られたSDRビデオストリームを多重化部３５に出力する。
【０１６２】
各エンコーダの動作が、コントローラ２１により制御される。すなわち、Mandatory HDRエンコーダ３１による処理は、いずれかの種類のHDRディスクを生成する場合に行われる。また、Option A HDRエンコーダ３２による処理は、Mandatory/Option A HDRディスク、またはMandatory/Option A/Option B HDRディスクを生成する場合に行われる。Option B HDRエンコーダ３３による処理は、Mandatory/Option B HDRディスク、またはMandatory/Option A/Option B HDRディスクを生成する場合に行われる。SDRエンコーダ３４による処理は、SDRビデオを記録したSDRディスクや、SDRビデオとHDRビデオを記録したHDRディスクを生成する場合に行われる。
【０１６３】
多重化部３５は、各エンコーダから供給されたビデオストリームをオーディオストリームなどとともに多重化し、AVストリームを生成する。多重化部３５は、生成したAVストリームをディスクドライブ２３に出力する。
【０１６４】
＜再生装置２の構成＞
図２１は、再生装置２の構成例を示すブロック図である。
【０１６５】
再生装置２は、コントローラ５１、ディスクドライブ５２、メモリ５３、ローカルストレージ５４、ネットワークインタフェース５５、復号処理部５６、操作入力部５７、および通信部５８から構成される。
【０１６６】
コントローラ５１は、CPU、ROM、RAMなどより構成される。コントローラ５１は、所定のプログラムを実行し、再生装置２の全体の動作を制御する。
【０１６７】
コントローラ５１においては、所定のプログラムが実行されることによってData Base情報解析部５１Ａが実現される。Data Base情報解析部５１Ａは、Index table、PlayList、Clip InformationなどのData Base情報を解析する。
【０１６８】
ディスクドライブ５２は、ディスク１１からデータを読み出して取得し、取得したデータを、コントローラ５１、メモリ５３、または復号処理部５６に出力する。例えば、ディスクドライブ５２は、Data Base情報をコントローラ５１に出力し、AVストリームを復号処理部５６に出力する。
【０１６９】
メモリ５３は、コントローラ５１が各種の処理を実行する上において必要なデータなどを記憶する。メモリ５３には、PSR(Player Status Register)であるレジスタ５３Ａが形成される。
【０１７０】
レジスタ５３Ａには、BDプレーヤである再生装置２が有する機能や現在の再生装置２の設定を表す各種の情報が記憶される。例えば、再生装置２の再生性能を表す情報、表示装置３が有するディスプレイの表示性能を表す情報がレジスタ５３Ａに記憶される。
【０１７１】
再生装置２の再生性能を表す情報により、再生装置２自身が再生可能なHDRビデオの種類が特定される。また、表示装置３が有するディスプレイの再生性能を表す情報により、ディスプレイに表示させることが可能なHDRビデオの種類が特定される。レジスタ５３Ａに記憶された情報は、ディスク１１を再生するときに参照される。
【０１７２】
ローカルストレージ５４は例えばHDD(Hard Disk Drive)により構成される。ローカルストレージ５４には、サーバからダウンロードされたストリームなどが記録される。
【０１７３】
ネットワークインタフェース５５は、インターネットなどのネットワークを介してサーバと通信を行い、サーバからダウンロードしたデータをローカルストレージ５４に供給する。
【０１７４】
復号処理部５６は、ディスクドライブ５２から供給されたAVストリームに多重化されているHDRビデオまたはSDRビデオを復号し、復号して得られたビデオデータを通信部５８に出力する。
【０１７５】
操作入力部５７は、ボタン、キー、タッチパネルなどの入力デバイスや、所定のリモートコマンダから送信される赤外線などの信号を受信する受信部により構成される。操作入力部５７はユーザの操作を検出し、検出した操作の内容を表す信号をコントローラ５１に供給する。
【０１７６】
通信部５８は、ケーブル４を介して表示装置３との間で通信を行う。例えば、通信部５８は、表示装置３が有するディスプレイの表示性能に関する情報を取得し、コントローラ５１に出力する。また、通信部５８は、復号処理部５６から供給されたビデオデータを表示装置３に出力する。
【０１７７】
図２２は、図２１の復号処理部５６の構成例を示すブロック図である。
【０１７８】
復号処理部５６は、分離部７１、Mandatory HDRデコーダ７２、Option A HDRデコーダ７３、Option B HDRデコーダ７４、およびSDRデコーダ７５から構成される。Mandatory HDRデコーダ７２、Option A HDRデコーダ７３、およびOption B HDRデコーダ７４を有する再生装置２は、Mandatory/Option A/Option B HDR対応Playerである。ディスクドライブ５２により読み出されたAVストリームは分離部７１に入力される。
【０１７９】
分離部７１は、コントローラ５１による制御に従って、再生するビデオストリームをAVストリームから分離し、各デコーダに出力する。分離部７１は、Mandatory HDRビデオを再生する場合、Mandatory HDRビデオストリームを分離し、Mandatory HDRデコーダ７２に出力する。また、分離部７１は、Option A HDRビデオを再生する場合、Option A HDRビデオストリームを分離し、Option A HDRデコーダ７３に出力する。分離部７１は、Option B HDRビデオを再生する場合、Option B HDRビデオストリームを分離し、Option B HDRデコーダ７４に出力する。分離部７１は、SDRビデオを再生する場合、SDRビデオストリームを分離し、SDRデコーダ７５に出力する。
【０１８０】
Mandatory HDRデコーダ７２は、分離部７１から供給されたMandatory HDRビデオストリームを復号し、復号して得られたMandatory HDRビデオのデータを出力する。
【０１８１】
Option A HDRデコーダ７３は、分離部７１から供給されたOption A HDRビデオストリームを復号し、復号して得られたOption A HDRビデオのデータを出力する。
【０１８２】
Option B HDRデコーダ７４は、分離部７１から供給されたOption B HDRビデオストリームを復号し、復号して得られたOption B HDRビデオのデータを出力する。
【０１８３】
SDRデコーダ７５は、分離部７１から供給されたSDRビデオストリームを復号し、復号して得られたSDRビデオのデータを出力する。
【０１８４】
＜表示装置３の構成＞
図２３は、表示装置３の構成例を示すブロック図である。
【０１８５】
表示装置３は、コントローラ１０１、通信部１０２、信号処理部１０３、およびディスプレイ１０４から構成される。コントローラ１０１はメモリ１０１Ａを有する。
【０１８６】
コントローラ１０１は、CPU、ROM、RAMなどより構成される。コントローラ１０１は、所定のプログラムを実行し、表示装置３の全体の動作を制御する。
【０１８７】
例えば、コントローラ１０１は、ディスプレイ１０４の表示性能を表す情報をメモリ１０１Ａに記憶させて管理する。コントローラ１０１は、再生装置２との認証時、メモリ１０１Ａに記憶させている情報を通信部１０２に出力し、EDIDを用いて再生装置２に送信させる。EDIDに基づいて、ディスプレイ１０４の表示性能が再生装置２により特定される。
【０１８８】
通信部１０２は、ケーブル４を介して再生装置２との間で通信を行う。通信部１０２は、再生装置２から送信されてきたビデオデータを受信し、信号処理部１０３に出力する。また、通信部１０２は、コントローラ１０１から供給された情報を再生装置２に送信する。
【０１８９】
信号処理部１０３は、通信部１０２から供給されたビデオデータの処理を行い、映像をディスプレイ１０４に表示させる。
【０１９０】
＜＜４．各装置の動作について＞＞
ここで、以上のような構成を有する各装置の動作について説明する。
【０１９１】
＜記録装置の処理＞
はじめに、図２４のフローチャートを参照して、記録装置１の記録処理について説明する。図２４の処理は、例えばマスターとなるビデオデータが入力されたときに開始される。
【０１９２】
ステップＳ１において、符号化処理部２２は、HDRビデオを設定に従って符号化する。すなわち、記録装置１のユーザであるコンテンツのオーサーによりMandatory HDRディスクを生成することが設定されている場合、Mandatory HDRエンコーダ３１は符号化を行い、Mandatory HDRビデオストリームを生成する。また、例えば、Mandatory/Option A HDRディスクを生成することが設定されている場合、Mandatory HDRエンコーダ３１とOption A HDRエンコーダ３２はそれぞれ符号化を行い、Mandatory HDRビデオストリームとOption A HDRビデオストリームを生成する。符号化処理部２２は、適宜、SDRビデオストリームを生成する。生成されたビデオストリームは多重化され、AVストリームが生成される。
【０１９３】
ステップＳ２において、コントローラ２１のData Base情報生成部２１Ａは、図１５の各情報を含むPlayListなどのData Base情報を生成する。
【０１９４】
ステップＳ３において、ディスクドライブ２３は、それぞれのData Base情報のファイルと、AVストリームのファイルをディスク１１に記録する。その後、処理は終了される。
【０１９５】
＜再生装置の処理＞
次に、図２５のフローチャートを参照して、ディスプレイの表示性能を表す情報を取得する再生装置２の処理について説明する。
【０１９６】
図２５の処理は、例えば、再生装置２と表示装置３がケーブル４を介して接続され、電源がオンになったときに開始される。
【０１９７】
ステップＳ１１において、通信部５８は、表示装置３と通信を行い、ディスプレイ１０４の表示性能を表す情報を含むEDIDを取得する。通信部５８は、ディスプレイ１０４の表示性能を表す情報をコントローラ５１に出力する。
【０１９８】
ステップＳ１２において、コントローラ５１は、通信部５８から供給された情報に基づいてディスプレイ１０４の表示性能を認識し、表示性能を表す情報をレジスタ５３Ａに設定する。その後、処理は終了される。
【０１９９】
次に、図２６のフローチャートを参照して、HDRビデオを再生する再生装置２の処理について説明する。図２６の処理は、図２５の処理が行われた後に行われる。
【０２００】
ステップＳ２１において、コントローラ５１は、ディスクドライブ５２を制御し、Data Base情報をディスク１１から読み出させる。コントローラ５１のData Base情報解析部５１Ａは、ディスクドライブ５２により読み出されたData Base情報を取得する。
【０２０１】
ステップＳ２２において、Data Base情報解析部５１Ａは、取得したData Base情報に含まれるPlayListを解析し、HDR_flag、option_A_HDR_flag、option_B_HDR_flag、およびHDR_compatible_typeの各情報を参照する。
【０２０２】
ステップＳ２３において、コントローラ５１は、レジスタ５３Ａに記憶されているディスプレイ１０４の表示性能を表す情報を参照する。
【０２０３】
ステップＳ２４において、コントローラ５１は、ユーザによる操作などに従って、再生対象とするビデオを選択する。例えば、コントローラ５１は、メニュー画面に対するユーザの操作に応じて、再生に用いるPlayListを選択し、そのPlayListが参照するClipに含まれるHDRビデオまたはSDRビデオを再生対象として選択する。
【０２０４】
ステップＳ２５において、コントローラ５１は、再生対象として選択したビデオの種類、ディスプレイ１０４の表示性能、HDR_compatible_typeの値に応じたメッセージをディスプレイ１０４に表示させる。ここでは、再生対象として選択したビデオではなく、互換性のあるビデオを再生した方が適している場合に、互換性のあるビデオの提供形態を通知するメッセージが表示される。
【０２０５】
例えば、コントローラ５１は、再生対象のビデオがHDRビデオであり、ディスプレイ１０４がHDRビデオの表示に非対応である場合、HDR_compatible_typeの値に基づいて、互換性のあるSDRビデオの提供形態を通知するメッセージを表示させる。
【０２０６】
また、コントローラ５１は、再生対象のビデオがSDRビデオであり、ディスプレイ１０４がHDRビデオの表示に対応している場合、HDR_compatible_typeの値に基づいて、互換性のあるHDRビデオの提供形態を通知するメッセージを表示させる。
【０２０７】
なお、互換性のあるビデオの提供形態をメッセージによって通知するのではなく、音声を出力することによって通知したり、再生装置２の筐体に設けられるLEDを発光させることによって通知したりすることも可能である。
【０２０８】
ステップＳ２６において、コントローラ５１は、ディスクドライブ５２を制御し、再生対象のビデオを含むAVストリームをディスク１１から読み出させる。再生対象のビデオは、適宜、ステップＳ２４で選択されたビデオから、それと互換性のあるビデオに変更される。ディスクドライブ５２により取得されたAVストリームは復号処理部５６に供給される。
【０２０９】
ステップＳ２７において、復号処理部５６は、ディスクドライブ５２から供給されたAVストリームに多重化されているビデオストリームを復号し、復号して得られたHDRビデオのデータ、またはSDRビデオのデータを通信部５８に出力する。
【０２１０】
ステップＳ２８において、通信部５８は、復号処理部５６から供給されたビデオのデータを表示装置３に出力する。通信部５８から出力されたデータを受信した表示装置３においては、受信したデータに対して信号処理が施され、HDRビデオまたはSDRビデオがディスプレイ１０４に表示される。ステップＳ２６乃至Ｓ２８の処理は、コンテンツの再生が終わるまで続けられる。
【０２１１】
＜メッセージの具体例＞
・メッセージの第１の具体例
図２７は、図２６の処理によって表示されるメッセージの第１の具体例を示す図である。
【０２１２】
図２７に示すHDRビデオとSDRビデオの記録形態は、図７に示す形態と同じである。再生装置２に挿入されたディスク１１には、PlayList1が参照するAVストリームと、PlayList2が参照するAVストリームが記録される。PlayList1が参照するAVストリームにはSDRビデオの符号化ストリームが含まれ、PlayList2が参照するAVストリームにはHDRビデオの符号化ストリームが含まれる。
【０２１３】
図１６を参照して説明したように、PlayList1のHDR_flagには0が設定され、HDR_compatible_typeには10bが設定される。また、PlayList2のHDR_flagには1が設定され、HDR_compatible_typeには10bが設定される。表示装置３が有するディスプレイ１０４はHDRビデオ非対応のディスプレイであるものとする。
【０２１４】
この状態において、例えばメニュー画面に対する操作により、太枠で囲んで示すように、PlayList2が参照するAVストリームに含まれるHDRビデオが再生対象として選択されたものとする（ステップＳ２４）。再生対象として選択されたHDRビデオは、図２７のディスプレイ１０４には表示させることができないビデオである。
【０２１５】
この場合、ディスプレイ１０４には、メニュー画面からSDRビデオを選択することで、互換性のあるSDRビデオの視聴が可能になることを通知するメッセージ＃１が表示される（ステップＳ２５）。
【０２１６】
ユーザは、互換性のあるSDRビデオが、ディスク１１に記録する形で提供されていることを確認することができる。
【０２１７】
ユーザがメニュー画面を表示させ、SDRビデオを再生対象として選択した場合、PlayList1が参照するAVストリームがディスク１１から読み出される（ステップＳ２６）。また、読み出されたAVストリームに含まれるSDRビデオストリームが再生されることによって、再生装置２から表示装置３に対してSDRビデオのデータが出力される（ステップＳ２７，Ｓ２８）。
【０２１８】
表示装置３のディスプレイ１０４には、再生装置２から供給されたデータに基づいてSDRビデオが表示される。ユーザは、HDRビデオの視聴はできないものの、それと互換性のあるSDRビデオを視聴することができる。
【０２１９】
・メッセージの第２の具体例
図２８は、図２６の処理によって表示されるメッセージの第２の具体例を示す図である。
【０２２０】
図２８の例は、表示装置３が有するディスプレイ１０４がHDRビデオ対応のディスプレイである点を除いて図２７に示すものと同じである。再生装置２に挿入されたディスク１１には、PlayList1が参照するAVストリームと、PlayList2が参照するAVストリームが記録される。PlayList1が参照するAVストリームにはSDRビデオの符号化ストリームが含まれ、PlayList2が参照するAVストリームにはHDRビデオの符号化ストリームが含まれる。
【０２２１】
この状態において、例えばメニュー画面に対する操作により、太枠で囲んで示すように、PlayList1が参照するAVストリームに含まれるSDRビデオが再生対象として選択されたものとする。この場合、ディスプレイ１０４には、メニュー画面からHDRビデオを選択することで、互換性のあるHDRビデオの視聴が可能になることを通知するメッセージ＃２が表示される。
【０２２２】
ユーザは、互換性のあるHDRビデオが、ディスク１１に記録する形で提供されていることを確認することができる。
【０２２３】
ユーザがメニュー画面を表示させ、HDRビデオを再生対象として選択した場合、PlayList2が参照するAVストリームがディスク１１から読み出される。また、読み出されたAVストリームに含まれるHDRビデオストリームが再生されることによって、再生装置２から表示装置３に対してHDRビデオのデータが出力される。
【０２２４】
表示装置３のディスプレイ１０４には、再生装置２から供給されたデータに基づいてHDRビデオが表示される。ユーザは、図２８の環境で視聴可能な、より画質の良いビデオを視聴することができる。
【０２２５】
・メッセージの第３の具体例
図２９は、図２６の処理によって表示されるメッセージの第３の具体例を示す図である。
【０２２６】
図２９に示すHDRビデオとSDRビデオの記録形態は、図８に示す形態と同じである。再生装置２に挿入されたディスク１１には、PlayList1が参照するAVストリームが記録される。PlayList1が参照するAVストリームには、HDRビデオの符号化ストリームとSDRビデオの符号化ストリームが含まれる。
【０２２７】
図１７を参照して説明したように、PlayList1のHDR_flagには1が設定され、HDR_compatible_typeには01bが設定される。表示装置３が有するディスプレイ１０４はHDRビデオ非対応のディスプレイであるものとする。
【０２２８】
この状態において、例えばメニュー画面に対する操作により、太枠で囲んで示すように、HDRビデオが再生対象として選択されたものとする。再生対象として選択されたHDRビデオは、図２９のディスプレイ１０４には表示させることができないビデオである。
【０２２９】
この場合、ディスプレイ１０４には、出力先のディスプレイ１０４がHDRビデオの表示に対応していないため、互換性のあるSDRビデオの再生を開始することを通知するメッセージ＃３が表示される。
【０２３０】
ユーザは、互換性のあるSDRビデオのストリームが、ディスク１１に記録する形で提供されていることを確認することができる。
【０２３１】
例えばユーザがSDRビデオの再生を指示した場合、PlayList1が参照するAVストリームがディスク１１から読み出される。また、PlayList1が参照するAVストリームに含まれるSDRビデオストリームが再生されることによって、再生装置２から表示装置３に対してSDRビデオのデータが出力される。
【０２３２】
表示装置３のディスプレイ１０４には、再生装置２から供給されたデータに基づいてSDRビデオが表示される。ユーザは、HDRビデオの視聴はできないものの、それと互換性のあるSDRビデオを視聴することができる。
【０２３３】
・メッセージの第４の具体例
図３０は、図２６の処理によって表示されるメッセージの第４の具体例を示す図である。
【０２３４】
図３０の例は、表示装置３が有するディスプレイ１０４がHDRビデオ対応のディスプレイである点を除いて図２９に示すものと同じである。再生装置２に挿入されたディスク１１には、PlayList1が参照するAVストリームが記録される。PlayList1が参照するAVストリームには、HDRビデオの符号化ストリームとSDRビデオの符号化ストリームが含まれる。
【０２３５】
この状態において、例えばメニュー画面に対する操作により、太枠で囲んで示すように、PlayList1が参照するAVストリームに含まれるSDRビデオが再生対象として選択されたものとする。この場合、ディスプレイ１０４には、出力先のディスプレイ１０４がHDRビデオの表示に対応しているため、互換性のあるHDRビデオを再生することを通知するメッセージ＃４が表示される。
【０２３６】
ユーザは、互換性のあるHDRビデオのストリームが、ディスク１１に記録する形で提供されていることを確認することができる。
【０２３７】
例えばユーザがHDRビデオの再生を指示した場合、PlayList1が参照するAVストリームがディスク１１から読み出される。また、PlayList1が参照するAVストリームに含まれるHDRビデオストリームが再生されることによって、再生装置２から表示装置３に対してHDRビデオのデータが出力される。
【０２３８】
表示装置３のディスプレイ１０４には、再生装置２から供給されたデータに基づいてHDRビデオが表示される。ユーザは、図３０の環境で視聴可能な、より画質の良いビデオを視聴することができる。
【０２３９】
・メッセージの第５の具体例
図３１は、図２６の処理によって表示されるメッセージの第５の具体例を示す図である。
【０２４０】
図３１に示すHDRビデオとSDRビデオの記録形態は、図９に示す形態と同じである。ディスク１１Ａには、SDRビデオの符号化ストリームを含むAVストリームが記録される。また、ディスク１１Ｂには、HDRビデオの符号化ストリームを含むAVストリームが記録される。
【０２４１】
図１８を参照して説明したように、ディスク１１Ａに記録されるPlayList1のHDR_flagには0が設定され、HDR_compatible_typeには11bが設定される。また、ディスク１１Ｂに記録されるPlayList1のHDR_flagには1が設定され、HDR_compatible_typeには11bが設定される。表示装置３が有するディスプレイ１０４はHDRビデオ非対応のディスプレイであるものとする。
【０２４２】
この状態において、例えばユーザがディスク１１Ｂを再生装置２に挿入し、太枠で囲んで示すように、PlayList1が参照するAVストリームに含まれるHDRビデオを再生対象として選択したものとする。再生対象として選択されたHDRビデオは、図３１のディスプレイ１０４には表示させることができないビデオである。
【０２４３】
この場合、ディスプレイ１０４には、ディスク１１Ｂとセットになっているディスク１１Ａに替えることで、互換性のあるSDRビデオの視聴が可能になることを通知するメッセージ＃５が表示される。
【０２４４】
ユーザは、互換性のあるSDRビデオが、ディスク１１Ｂとセットのディスクであるディスク１１Ａに記録する形で提供されていることを確認することができる。
【０２４５】
ユーザが、ディスク１１Ｂに代えてディスク１１Ａを挿入し、SDRビデオを再生対象として選択した場合、PlayList1が参照するAVストリームがディスク１１Ａから読み出される。また、PlayList1が参照するAVストリームに含まれるSDRビデオストリームが再生されることによって、再生装置２から表示装置３に対してSDRビデオのデータが出力される。
【０２４６】
表示装置３のディスプレイ１０４には、再生装置２から供給されたデータに基づいてSDRビデオが表示される。ユーザは、HDRビデオの視聴はできないものの、それと互換性のあるSDRビデオを視聴することができる。
【０２４７】
・メッセージの第６の具体例
図３２は、図２６の処理によって表示されるメッセージの第６の具体例を示す図である。
【０２４８】
図３２の例は、表示装置３が有するディスプレイ１０４がHDRビデオ対応のディスプレイである点を除いて図３１に示すものと同じである。ディスク１１Ａには、SDRビデオの符号化ストリームを含むAVストリームが記録される。また、ディスク１１Ｂには、HDRビデオの符号化ストリームを含むAVストリームが記録される。
【０２４９】
この状態において、例えばユーザがディスク１１Ａを再生装置２に挿入し、太枠で囲んで示すように、PlayList1が参照するAVストリームに含まれるSDRビデオを再生対象として選択したものとする。この場合、ディスプレイ１０４には、ディスク１１Ａとセットになっているディスク１１Ｂに替えることで、互換性のあるHDRビデオの視聴が可能になることを通知するメッセージ＃６が表示される。
【０２５０】
ユーザは、互換性のあるHDRビデオが、ディスク１１Ａとセットのディスクであるディスク１１Ｂに記録する形で提供されていることを確認することができる。
【０２５１】
ユーザが、ディスク１１Ａに代えてディスク１１Ｂを挿入し、HDRビデオを再生対象として選択した場合、PlayList1が参照するAVストリームがディスク１１Ｂから読み出される。また、PlayList1が参照するAVストリームに含まれるHDRビデオストリームが再生されることによって、再生装置２から表示装置３に対してHDRビデオのデータが出力される。
【０２５２】
表示装置３のディスプレイ１０４には、再生装置２から供給されたデータに基づいてHDRビデオが表示される。ユーザは、図３２の環境で視聴可能な、より画質の良いビデオを視聴することができる。
【０２５３】
＜５．変形例＞
・Data Base情報の例
互換性のあるビデオがネットワークを介して提供されるようにしてもよい。この場合、HDR_compatible_typeには、そのことを表す値が設定される。例えば、HDR_compatible_typeが、互換性のあるビデオがネットワークを介して提供されることを表す場合、Data Base情報には、互換性のあるビデオの配信を行うサーバのURL等の情報が記述される。
【０２５４】
再生装置２は、URLに基づいてサーバにアクセスし、互換性のあるビデオを受信して再生に用いることになる。
【０２５５】
・他の構成例
以上においては、再生装置２がMandatory/Option A/Option B HDR対応Playerである場合について主に説明したが、他の再生性能を有する場合においても図２６の処理と同様の処理が行われる。
【０２５６】
図３３は、Mandatory HDR対応Playerである再生装置２に設けられる復号処理部５６の構成例を示すブロック図である。
【０２５７】
図３３に示す構成は、Option A HDRデコーダ７３とOption B HDRデコーダ７４が設けられていない点を除いて、図２２に示す構成と同じ構成である。
【０２５８】
図３４は、Mandatory/Option A HDR対応Playerである再生装置２に設けられる復号処理部５６の構成例を示すブロック図である。
【０２５９】
図３４に示す構成は、Option B HDRデコーダ７４が設けられていない点を除いて、図２２に示す構成と同じ構成である。
【０２６０】
図３５は、Mandatory/Option B HDR対応Playerである再生装置２に設けられる復号処理部５６の構成例を示すブロック図である。
【０２６１】
図３５に示す構成は、Option A HDRデコーダ７３が設けられていない点を除いて、図２２に示す構成と同じ構成である。
【０２６２】
・コンピュータの構成例
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０２６３】
図３６は、上述した一連の処理をプログラムにより実行するコンピュータのハードウェアの構成例を示すブロック図である。
【０２６４】
CPU５０１、ROM５０２、RAM５０３は、バス５０４により相互に接続されている。
【０２６５】
バス５０４には、さらに、入出力インタフェース５０５が接続されている。入出力インタフェース５０５には、キーボード、マウスなどよりなる入力部５０６、ディスプレイ、スピーカなどよりなる出力部５０７が接続される。また、入出力インタフェース５０５には、ハードディスクや不揮発性のメモリなどよりなる記憶部５０８、ネットワークインタフェースなどよりなる通信部５０９、リムーバブルメディア５１１を駆動するドライブ５１０が接続される。
【０２６６】
以上のように構成されるコンピュータでは、CPU５０１が、例えば、記憶部５０８に記憶されているプログラムを入出力インタフェース５０５及びバス５０４を介してRAM５０３にロードして実行することにより、上述した一連の処理が行われる。
【０２６７】
CPU５０１が実行するプログラムは、例えばリムーバブルメディア５１１に記録して、あるいは、ローカルエリアネットワーク、インターネット、デジタル放送といった、有線または無線の伝送媒体を介して提供され、記憶部５０８にインストールされる。
【０２６８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２６９】
本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２７０】
なお、本明細書に記載された効果はあくまで例示であって限定されるものでは無く、また他の効果があってもよい。
【０２７１】
本技術の実施の形態は、上述した実施の形態に限定されるものではなく、本技術の要旨を逸脱しない範囲において種々の変更が可能である。
【０２７２】
例えば、本技術は、１つの機能をネットワークを介して複数の装置で分担、共同して処理するクラウドコンピューティングの構成をとることができる。
【０２７３】
また、上述のフローチャートで説明した各ステップは、１つの装置で実行する他、複数の装置で分担して実行することができる。
【０２７４】
さらに、１つのステップに複数の処理が含まれる場合には、その１つのステップに含まれる複数の処理は、１つの装置で実行する他、複数の装置で分担して実行することができる。
【０２７５】
・構成の組み合わせ例
本技術は、以下のような構成をとることもできる。
【０２７６】
（１）
標準の輝度範囲のビデオであるSDRビデオと互換性のある前記標準の輝度範囲より輝度範囲の広いビデオであるHDRビデオの提供の形態、または前記HDRビデオと互換性のある前記SDRビデオの提供の形態を表す種別情報が記述された再生管理情報を解析する制御部と、
前記種別情報により表される形態で提供された前記HDRビデオの符号化データまたは前記SDRビデオの符号化データを取得する取得部と、
取得された前記HDRビデオの符号化データまたは前記SDRビデオの符号化データを再生する再生部と
を備える再生装置。
【０２７７】
（２）
出力先となるディスプレイを有する表示装置と通信を行い、前記ディスプレイの表示性能を表す情報を取得する通信部をさらに備える
前記（１）に記載の再生装置。
【０２７８】
（３）
前記制御部は、前記HDRビデオの再生前において、前記ディスプレイが前記HDRビデオの表示に対応していないとき、互換性のある前記SDRビデオの提供の形態を提示し、
前記取得部は、前記種別情報により表される形態で提供された前記SDRビデオの符号化データを取得する
前記（２）に記載の再生装置。
【０２７９】
（４）
前記制御部は、前記SDRビデオの再生前において、前記ディスプレイが前記HDRビデオの表示に対応しているとき、互換性のある前記HDRビデオの提供の形態を提示し、
前記取得部は、前記種別情報により表される形態で提供された前記HDRビデオの符号化データを取得する
前記（２）または（３）に記載の再生装置。
【０２８０】
（５）
前記制御部は、前記再生装置に挿入された記録媒体から取得した前記再生管理情報を解析し、
前記取得部は、前記HDRビデオの符号化データまたは前記SDRビデオの符号化データを前記記録媒体から取得する
前記（１）乃至（４）のいずれかに記載の再生装置。
【０２８１】
（６）
前記種別情報は、互換性のある前記HDRビデオの符号化データと前記SDRビデオの符号化データが、同じ前記記録媒体に記録されているか、異なる前記記録媒体に記録されているかを表す
前記（５）に記載の再生装置。
【０２８２】
（７）
前記種別情報は、互換性のある前記HDRビデオの符号化データと前記SDRビデオの符号化データが、前記記録媒体に記録された同じストリームに含まれるか、異なるストリームに含まれるかを表す
前記（５）または（６）に記載の再生装置。
【０２８３】
（８）
前記記録媒体は、Blu-ray Discであり、
前記種別情報は、前記再生管理情報としてのIndex table、PlayList、またはClip Informationに記述される
前記（５）乃至（７）のいずれかに記載の再生装置。
【０２８４】
（９）
標準の輝度範囲のビデオであるSDRビデオと互換性のある前記標準の輝度範囲より輝度範囲の広いビデオであるHDRビデオの提供の形態、または前記HDRビデオと互換性のある前記SDRビデオの提供の形態を表す種別情報が記述された再生管理情報を解析し、
前記種別情報により表される形態で提供された前記HDRビデオの符号化データまたは前記SDRビデオの符号化データを取得し、
取得した前記HDRビデオの符号化データまたは前記SDRビデオの符号化データを再生する
ステップを含む再生方法。
【０２８５】
（１０）
標準の輝度範囲のビデオであるSDRビデオと互換性のある前記標準の輝度範囲より輝度範囲の広いビデオであるHDRビデオの提供の形態、または前記HDRビデオと互換性のある前記SDRビデオの提供の形態を表す種別情報が記述された再生管理情報を解析し、
前記種別情報により表される形態で提供された前記HDRビデオの符号化データまたは前記SDRビデオの符号化データを取得し、
取得した前記HDRビデオの符号化データまたは前記SDRビデオの符号化データを再生する
ステップを含む処理をコンピュータに実行させるプログラム。
【０２８６】
（１１）
マスターとなるビデオに基づいて、標準の輝度範囲のビデオであるSDRビデオの符号化データと、前記SDRビデオと互換性のある前記標準の輝度範囲より輝度範囲の広いビデオであるHDRビデオの符号化データを生成するビデオ生成部と、
前記SDRビデオと互換性のある前記HDRビデオの提供の形態、または前記HDRビデオと互換性のある前記SDRビデオの提供の形態を表す種別情報が記述された再生管理情報を生成する再生管理情報生成部と
を備える情報処理装置。
【０２８７】
（１２）
マスターとなるビデオに基づいて、標準の輝度範囲のビデオであるSDRビデオの符号化データと、前記SDRビデオと互換性のある前記標準の輝度範囲より輝度範囲の広いビデオであるHDRビデオの符号化データを生成し、
前記SDRビデオと互換性のある前記HDRビデオの提供の形態、または前記HDRビデオと互換性のある前記SDRビデオの提供の形態を表す種別情報が記述された再生管理情報を生成する
ステップを含む情報処理方法。
【０２８８】
（１３）
マスターとなるビデオに基づいて、標準の輝度範囲のビデオであるSDRビデオの符号化データと、前記SDRビデオと互換性のある前記標準の輝度範囲より輝度範囲の広いビデオであるHDRビデオの符号化データを生成し、
前記SDRビデオと互換性のある前記HDRビデオの提供の形態、または前記HDRビデオと互換性のある前記SDRビデオの提供の形態を表す種別情報が記述された再生管理情報を生成する
ステップを含む処理をコンピュータに実行させるプログラム。
【０２８９】
（１４）
マスターとなるビデオに基づいて生成された、標準の輝度範囲のビデオであるSDRビデオの符号化データと、前記SDRビデオと互換性のある前記標準の輝度範囲より輝度範囲の広いビデオであるHDRビデオの符号化データとのうちの少なくともいずれかが記録され、
前記SDRビデオの符号化データが記録されている場合における、前記SDRビデオと互換性のある前記HDRビデオの提供の形態を表す種別情報が記述された再生管理情報と、前記HDRビデオの符号化データが記録されている場合における、前記HDRビデオと互換性のある前記SDRビデオの提供の形態を表す前記種別情報が記述された前記再生管理情報とのうちのいずれかが記録された
記録媒体。
【０２９０】
（１５）
前記記録媒体は、Blu-ray Discであり、
前記種別情報は、前記再生管理情報としてのIndex table、PlayList、またはClip Informationに記述される
前記（１４）に記載の記録媒体。
【符号の説明】
【０２９１】
１  記録装置，  ２  再生装置，  ３  表示装置，  １１  ディスク，  ２１  コントローラ，  ２１Ａ  Data Base情報生成部，  ２２  符号化処理部，  ２３  ディスクドライブ，  ３１  Mandatory HDRエンコーダ，  ３２  Option A HDRエンコーダ，  ３３  Option B HDRエンコーダ，  ３４  SDRエンコーダ，  ３５  多重化部，  ５１  コントローラ，  ５２  ディスクドライブ，  ５３  メモリ，  ５６  復号処理部，  ５８  通信部，  ７１  分離部，  ７２  Mandatory HDRデコーダ，  ７３  Option A HDRデコーダ，  ７４  Option B HDRデコーダ，  ７５  SDRデコーダ
【図１】
0006471915.tif 000002
【図２】
0006471915.tif 000003
【図３】
0006471915.tif 000004
【図４】
0006471915.tif 000005
【図５】
0006471915.tif 000006
【図６】
0006471915.tif 000007
【図７】
0006471915.tif 000008
【図８】
0006471915.tif 000009
【図９】
0006471915.tif 000010
【図１０】
0006471915.tif 000011
【図１１】
0006471915.tif 000012
【図１２】
0006471915.tif 000013
【図１３】
0006471915.tif 000014
【図１４】
0006471915.tif 000015
【図１５】
0006471915.tif 000016
【図１６】
0006471915.tif 000017
【図１７】
0006471915.tif 000018
【図１８】
0006471915.tif 000019
【図１９】
0006471915.tif 000020
【図２０】
0006471915.tif 000021
【図２１】
0006471915.tif 000022
【図２２】
0006471915.tif 000023
【図２３】
0006471915.tif 000024
【図２４】
0006471915.tif 000025
【図２５】
0006471915.tif 000026
【図２６】
0006471915.tif 000027
【図２７】
0006471915.tif 000028
【図２８】
0006471915.tif 000029
【図２９】
0006471915.tif 000030
【図３０】
0006471915.tif 000031
【図３１】
0006471915.tif 000032
【図３２】
0006471915.tif 000033
【図３３】
0006471915.tif 000034
【図３４】
0006471915.tif 000035
【図３５】
0006471915.tif 000036
【図３６】
0006471915.tif 000037